(57)【要約】【課題】高い断熱性能を得ることができる改装建具を提供する。【解決手段】改装建具１０は、建物１４の開口部１４ａに設置された既設枠１６と、建物１４の外壁面３０ａを形成していた既設外壁材３０とを残存させた状態で、既設枠１６の内側に新設枠１８を取り付け、既設外壁材３０を新設外壁材３４で覆って新たな外壁面を形成している。新設枠１８は、その室外側見付け面３６が既設外壁材３０よりも室外側に張り出しており、且つ、新設外壁材３４の室内側表面３４ｂに対向配置されている。【選択図】図２
2019196667.tif 000002
【特許請求の範囲】
【請求項１】
建物の開口部に設置された既設枠と、前記建物の外壁面を形成していた既設外壁材とを残存させた状態で、前記既設枠の内側に新設枠を取り付け、前記既設外壁材を新設外壁材で覆って新たな外壁面を形成した改装建具であって、
前記新設枠は、その室外側見付け面が前記既設外壁材よりも室外側に張り出しており、且つ、前記新設外壁材の室内側表面に対向配置されていることを特徴とする改装建具。
【請求項２】
請求項１に記載の改装建具であって、
前記新設外壁材の端面を覆う見切り材を備え、
前記見切り材は、前記新設枠の室外側見付け面又は枠外側見込み面に取り付けられる取付部と、前記新設外壁材の端面を覆うカバー部と、を有することを特徴とする改装建具。
【請求項３】
請求項１又は２に記載の改装建具であって、
前記新設外壁材は、前記既設外壁材の表面に設けた胴縁の表面に取り付けられており、
前記胴縁の端面は、前記既設外壁材の端面よりも前記開口部の内方側に張り出しており、
前記新設外壁材の端面は、前記胴縁の端面よりも前記開口部の内方側に張り出していることを特徴とする改装建具。
【請求項４】
請求項１〜３のいずれか１項に記載の改装建具であって、
前記新設枠は、室外側に配置される室外側部位と室内側に配置される室内側部位との間を断熱材で連結した連結構造であり、
前記室外側部位の室外側見付け面が、前記新設外壁材の室内側表面に対向配置されていることを特徴とする改装建具。
【請求項５】
建物の開口部に設置された既設枠と、前記建物の外壁面を形成していた既設外壁材とを残存させた状態で、前記既設枠の内側に新設枠を取り付け、前記既設外壁材を新設外壁材で覆って新たな外壁面を形成した改装建具であって、
前記新設枠は、その室外側見付け面の少なくとも一部が前記新設外壁材によって覆われていることを特徴とする改装建具。
【発明の詳細な説明】
【技術分野】
【０００１】
本発明は、既設枠の内側に新設枠を取り付けた改装建具に関する。
【背景技術】
【０００２】
玄関ドア等のドア或いは窓を低コストで改装するために、建物の躯体に固定されている既設枠の内側に新設枠を取り付け、この新設枠に新設ドアや新設障子等の戸体を新たに取り付ける工法がある。例えば特許文献１には、既設枠の内側に新設枠を取り付け、既設外壁材の表面に新たな外壁面を形成する新設外壁材を取り付けた改装建具が開示されている。
【先行技術文献】
【特許文献】
【０００３】
【特許文献１】特開平７−４８９３６号公報
【発明の概要】
【発明が解決しようとする課題】
【０００４】
上記特許文献１の構成では、新設外壁材の端面が新設枠の枠外側見込み面に対向配置されている。つまり新設枠の室外側見付け面は、その全域が見切り材（カバー材）のみによって覆われた状態で室外に臨んでいる。このため、この部分が熱の通り道となり、改装建具の断熱性能を低下させる懸念がある。
【０００５】
本発明は、上記従来技術の課題を考慮してなされたものであり、高い断熱性能を得ることができる改装建具を提供することを目的とする。
【課題を解決するための手段】
【０００６】
本発明に係る改装建具は、建物の開口部に設置された既設枠と、前記建物の外壁面を形成していた既設外壁材とを残存させた状態で、前記既設枠の内側に新設枠を取り付け、前記既設外壁材を新設外壁材で覆って新たな外壁面を形成した改装建具であって、前記新設枠は、その室外側見付け面が前記既設外壁材よりも室外側に張り出しており、且つ、前記新設外壁材の室内側表面に対向配置されていることを特徴とする。
【０００７】
また、本発明に係る改装建具は、建物の開口部に設置された既設枠と、前記建物の外壁面を形成していた既設外壁材とを残存させた状態で、前記既設枠の内側に新設枠を取り付け、前記既設外壁材を新設外壁材で覆って新たな外壁面を形成した改装建具であって、前記新設枠は、その室外側見付け面の少なくとも一部が前記新設外壁材によって覆われていることを特徴とする。
【０００８】
このような構成によれば、新設枠の室外側見付け面が新設外壁材に対向配置されることで両者間の隙間を最小限に構成できると同時に、新設枠の室外側見付け面が新設外壁材によって覆われる。このため、新設枠の室外側見付け面が熱の通り道となること、さらに新設枠の室外側見付け面と新設外壁材との間の隙間が熱の通り道となることを抑制でき、高い断熱性能が得られる。
【０００９】
本発明に係る改装建具において、前記新設外壁材の端面を覆う見切り材を備え、前記見切り材は、前記新設枠の室外側見付け面又は枠外側見込み面に取り付けられる取付部と、前記新設外壁材の端面を覆うカバー部と、を有する構成としてもよい。そうすると、見切り材が新設外壁材の端面を覆い、さらに新設枠の室外側見付け面と新設外壁材との間の隙間を覆うため、当該改装建具の外観品質及び断熱性能が向上する。特に、見切り材はその取付部が新設枠の室外側見付け面又は枠外側見込み面に取り付けられるため、取付部が外観上に露出せず、当該改装建具の外観品質が一層向上する。
【００１０】
本発明に係る改装建具において、前記新設外壁材は、前記既設外壁材の表面に設けた胴縁の表面に取り付けられており、前記胴縁の端面は、前記既設外壁材の端面よりも前記開口部の内方側に張り出しており、前記新設外壁材の端面は、前記胴縁の端面よりも前記開口部の内方側に張り出した構成としてもよい。そうすると、躯体の開口部の内方側に大きく張り出した新設外壁材を胴縁で確実に保持することができ、新設外壁材の取付安定性が向上する。しかも、胴縁が既設外壁材よりも内方側に張り出しているため、新設枠と新設外壁材との間の空間の一部を胴縁で埋めることができ、断熱性能が一層向上する。
【００１１】
本発明に係る改装建具において、前記新設枠は、室外側に配置される室外側部位と室内側に配置される室内側部位との間を断熱材で連結した連結構造であり、前記室外側部位の室外側見付け面が、前記新設外壁材の室内側表面に対向配置された構成としてもよい。そうすると、新設枠は、室外側部位と室内側部位との間が断熱されるため、当該改装建具の室内外方向の断熱性能が一層向上する。
【発明の効果】
【００１２】
本発明によれば、高い断熱性能を得ることができる改装建具が得られる。
【図面の簡単な説明】
【００１３】
【図１】本発明の一実施形態に係る改装建具を室外側から見た姿図である。
【図２】図１に示す改装建具の縦断面図である。
【図３】図１に示す改装建具の横断面図である。
【発明を実施するための形態】
【００１４】
以下、本発明に係る改装建具について好適な実施の形態を挙げ、添付の図面を参照しながら詳細に説明する。
【００１５】
図１〜図３に示すように、本実施形態の改装建具１０は、建物１２の躯体１４の開口部１４ａに予め設置されていた既設ドアをドア枠（既設枠１６）を残して撤去し、残存させた既設枠１６の内側に新たなドア枠（新設枠１８）を取り付けて新設ドア２０を開閉可能に支持した建具である。改装建具１０は、例えば住宅の玄関ドアの改装工事で設置される。改装建具１０は、玄関ドア以外のドアの他、嵌め殺し窓、上げ下げ窓、引違い窓等のスライディング窓、開き窓等の回転窓等の改装用としても利用できる。
【００１６】
既設枠１６は、上枠１６ａと、下枠１６ｂと、左右の縦枠１６ｃ，１６ｄとを四周枠組みすることで矩形の開口部を形成したものである。各枠１６ａ〜１６ｄは、例えばアルミニウム等の金属材料の押出形材である。各枠１６ａ〜１６ｄは、新設枠１８の取り付け前から躯体１４に固定されている。
【００１７】
新設枠１８は、既設枠１６よりも室外側に張り出すようにして既設枠１６の内側に設けられる。新設枠１８は、上枠１８ａと、下枠１８ｂと、左右の縦枠１８ｃ，１８ｄとを四周枠組みすることで矩形の開口部を形成したものである。各枠１８ａ〜１８ｄは、例えばアルミニウム等の金属材料の押出形材で構成されている。
【００１８】
本出願において、見込み方向とは改装建具１０の室内外方向、つまり室内側から室外側に向かう方向又はその逆方向（図中に矢印Ｙで示す方向）をいう。見込み面とは見込み方向に沿って延在する面をいう。見付け方向とは見込み方向に直交する方向であり、上下方向に長尺な縦枠１６ｃ，１８ｃ等の場合はその長手方向に直交する左右方向（図中に矢印Ｘで示す方向）をいい、左右方向に長尺な上枠１６ａ，１８ａ等の場合はその長手方向に直交する上下方向（図中に矢印Ｚで示す方向）をいう。見付け面とは見付け方向に沿った面をいう。枠状部材の枠内側（枠内方向）とは、例えば新設枠１８の内側（新設ドア２０側）をいい、枠状部材の枠外側（枠外方向）とは、例えば新設枠１８の外側（既設枠１６側や躯体１４側）をいう。
【００１９】
図２に示すように、上枠１８ａは、室外側に配置される室外側部位２４ａと室内側に配置される室内側部位２４ｂとを一対の断熱材２４ｃで連結し、断面略矩形状に形成した連結構造である。室内側部位２４ｂには、枠内側見込み面２５から枠内側に突出した戸当たり部２６が設けられている。上枠１８ａは、既設枠１６の上枠１６ａと共に室内側部位２４ｂが固定ねじ２７を用いて躯体１４に固定される。上枠１６ａと上枠１８ａとの間は、スペーサ２８が挟み込まれると共に、シール材２９で封止される。
【００２０】
上枠１８ａは、室外側部位２４ａが既設枠１６の上枠１６ａよりも室外側に張り出している。躯体１４の室外側表面１４ｂには、改装前の外壁面３０ａを形成していた既設外壁材３０が残存している。上枠１８ａの室外側部位２４ａは、既設外壁材３０の端面３０ｂよりも開口部１４ａの内方側に配置される。上枠１８ａの室外側部位２４ａと既設外壁材３０の端面３０ｂとの間には、既設枠１６の上枠１６ａの見付け幅程度の間隔が設けられている。
【００２１】
既設外壁材３０の外壁面３０ａには、胴縁３２を介して新設外壁材３４が取り付けられる。胴縁３２の端面３２ａは、既設外壁材３０の端面３０ｂよりも開口部１４ａの内方側に張り出している。新設外壁材３４の端面３４ａは、胴縁３２の端面３２ａよりもさらに開口部１４ａの内方側に張り出している。上枠１８ａの室外側部位２４ａは、その室外側見付け面３６が新設外壁材３４の室内側表面３４ｂと対向配置される。本実施形態の場合、新設外壁材３４の端面３４ａは、上枠１８ａの枠内側見込み面２５よりも開口部１４ａの外方、つまり上枠１８ａの枠外側に多少引っ込んだ位置に配置されている。端面３４ａは、上枠１８ａの室外側見付け面３６の見付け幅の中央よりも枠内側となる位置まで延在している。端面３４ａは、枠内側見込み面２５と面一、或いは枠内側見込み面２５よりも多少内方側に張り出した位置に配置されてもよい。
【００２２】
上枠１８ａの室外側部位２４ａには、新設外壁材３４の端面３４ａを覆う見切り材３８が取り付けられる。見切り材３８は、アルミニウム等の金属材料の押出形材である。見切り材３８は、上枠１８ａの室外側見付け面３６にねじ４０を用いて取り付けられる平板状の取付部３８ａと、端面３４ａを覆うＬ字状のカバー部３８ｂとを有し、断面略コ字状に形成されている。取付部３８ａは、上枠１８ａの室外側見付け面３６に対して取り付けられるため、外観上に露出せず、外観品質を損なうことがない。カバー部３８ｂは、新設外壁材３４の端面３４ａを覆う見込み片部３８ｃと、新設外壁材３４の室外側表面３４ｃの縁部を覆う見付け片部３８ｄとを有する。見付け片部３８ｄの端部は、室外側表面３４ｃに当接配置され、その隙間がシール材４２で封止される。新設外壁材３４の室外側表面３４ｃは、改装後の新たな外壁面を形成する。
【００２３】
上枠１８ａの室内側部位２４ｂには、内額縁４４が取り付けられる。内額縁４４は、躯体１４の開口部１４ａの室内側に装着された木額縁４６と室内側部位２４ｂとの間に亘るように設けられ、既設枠１６の上枠１６ａ等を覆い隠す化粧部材である。
【００２４】
図２に示すように、下枠１８ｂは、既設枠１６の下枠１６ｂに重ねて配置され、下枠１６ｂや躯体１４に対してねじ止め固定される。下枠１８ｂは当該改装建具１０の床面から一段下がるように設けられた戸当たり部４８を有する。
【００２５】
図３に示すように、左右の縦枠１８ｃ，１８ｄは、上記した上枠１８ａと設置方向等が異なる以外、基本的な構成は同一又は同様である。そこで、縦枠１８ｃ，１８ｄにおいて、上枠１８ａと同一又は同様な構成については同一の参照符号を付して詳細な説明を省略する。本実施形態の縦枠１８ｃ，１８ｄは、上枠１８ａの見切り材３８と形状の異なる見切り材５０が取り付けられる。
【００２６】
縦枠１８ｃ，１８ｄについても、胴縁３２の端面３２ａは、既設外壁材３０の端面３０ｂよりも開口部１４ａの内方側に張り出しており、新設外壁材３４の端面３４ａは、胴縁３２の端面３２ａよりもさらに開口部１４ａの内方側に張り出している。また、縦枠１８ｃ，１８ｄの室外側部位２４ａは、室外側見付け面３６が新設外壁材３４の室内側表面３４ｂと対向配置される。縦枠１８ｃ，１８ｄの場合、新設外壁材３４の端面３４ａは、縦枠１８ｃ，１８ｄの室外側見付け面３６の見付け幅の中央よりも枠外側となる位置にある。縦枠１８ｃ，１８ｄについても、端面３４ａは、枠内側見込み面２５と面一、或いは枠内側見込み面２５よりも多少内方側に張り出した配置されてもよい。端面３４ａは、縦枠１８ｃ，１８ｄの室外側見付け面３６の見付け幅の中央よりも枠内側となる位置にあってもよい。
【００２７】
見切り材５０は、アルミニウム等の金属材料の押出形材である。見切り材５０は、縦枠１８ｃ，１８ｄの枠外側見込み面５２にねじ４０を用いて取り付けられるＴ字状の取付部５０ａと、端面３４ａを覆うＬ字状のカバー部５０ｂとを有する。取付部５０ａは、見込み方向に沿う板片が縦枠１８ｃ，１８ｄの枠外側見込み面５２対して取り付けられるため、外観上に露出せず、外観品質を損なうことがない。カバー部５０ｂは、図２に示す見切り材３８のカバー部３８ｂと同様な構成である。カバー部５０ｂは、見込み片部３８ｃ及び見付け片部３８ｄを有し、見付け片部３８ｄの端部が新設外壁材３４の室外側表面３４ｃにシール材４２を介して取り付けられる。縦枠１８ｃ，１８ｄは、見切り材５０に代えて上枠１８ａと同様な見切り材３８を用いてもよい。同様に、上枠１８ａは、見切り材３８に代えて縦枠１８ｃ，１８ｄと同様な見切り材５０を用いてもよい。
【００２８】
図１〜図３に示すように、本実施形態の新設ドア２０は片開きである。新設ドア２０は、縦枠１８ｃの室外側部位２４ａに取り付けられたヒンジ５４を介して新設枠１８の内側で開閉可能に支持される。新設ドア２０の戸先側見込み面には、ラッチ５６が出没可能に設けられている。上記したように縦枠１８ｃ，１８ｄでは、新設外壁材３４の端面３４ａが室外側見付け面３６の見付け幅の中央よりも枠外側となる位置にある。このため、見切り材５０のカバー部５０ｂの見込み片部３８ｃは、縦枠１８ｃ，１８ｄの枠内側見込み面２５よりも枠外側にオフセットした位置に配置される。これにより、端面３４ａ及び見込み片部３８ｃがヒンジ５４や新設ドア２０の戸先側の煙返し５８と干渉することを防止している。
【００２９】
以上のように、本実施形態に係る改装建具１０では、新設枠１８の上枠１８ａ及び縦枠１８ｃ，１８ｄは、その室外側見付け面３６が既設外壁材３０よりも室外側に張り出しており、且つ、新設外壁材３４の室内側表面３４ｂに対向配置されている。この際、新設枠１８の上枠１８ａ及び縦枠１８ｃ，１８ｄは、その室外側見付け面３６の少なくとも一部が新設外壁材３４によって覆われている。換言すれば、新設外壁材３４は、新設枠１８の室外側見付け面３６の少なくとも一部を覆う位置まで開口部１４ａの内方側に延出している。
【００３０】
従って、当該改装建具１０は、新設枠１８の室外側見付け面３６が新設外壁材３４に近接配置され、両者間の隙間Ｃが最小限に構成される。同時に、新設枠１８の室外側見付け面３６が断熱材としても機能する新設外壁材３４によって覆われる。このため、新設枠１８の室外側見付け面３６が室内外方向の熱の通り道となること、さらに室外側見付け面３６と新設外壁材３４との間の隙間Ｃが室内外方向の熱の通り道となることを抑制できる。これにより当該改装建具１０は、高い断熱性能が得られる。特に、本実施形態の場合は最も高温の空気にさらされる上枠１８ａの室外側見付け面３６の略全域が新設外壁材３４によって覆われる。このため、一層高い断熱性能を確保できる。勿論、上記した通り、縦枠１８ｃ，１８ｄの室外側見付け面３６もその略全域を新設外壁材３４で覆う構成としてもよい。この際、室外側見付け面３６を形成する新設枠１８の室外側部位２４ａには、中空部６０が形成されている。このため、新設枠１８の枠内側から枠外側への熱の伝達を中空部６０による断熱作用によって抑制できる。さらに新設枠１８は、断熱材２４ｃを設けた連結構造のため、一層高い断熱性能が得られる。
【００３１】
当該改装建具１０の施工手順の一例としては、既設枠１６及び既設外壁材３０を残存させた状態で、既設枠１６の内側に新設枠１８を取り付け、続いて見切り材３８，５０を取り付け、胴縁３２及び新設外壁材３４を取り付ける。つまり、当該改装建具１０は、新設枠１８の施工と新設外壁材３４の施工とを同時に実施することができ、施工費用や工期を抑えることができる。
【００３２】
当該改装建具１０では、胴縁３２の端面３２ａが既設外壁材３０の端面３０ｂよりも開口部１４ａの内方側に張り出しており、さらに新設外壁材３４の端面３４ａが胴縁３２の端面３２ａよりも開口部１４ａの内方側に張り出している。このため、開口部１４ａの内方側に大きく張り出した新設外壁材３４を胴縁３２で確実に保持することができる。しかも、胴縁３２が既設外壁材３０よりも内方側に張り出しているため、新設枠１８と新設外壁材３４との間の空間Ｓの一部を胴縁３２で埋めることができ、断熱性能が一層向上する。
【００３３】
なお、本発明は、上記した実施形態に限定されるものではなく、本発明の主旨を逸脱しない範囲で自由に変更できることは勿論である。
【００３４】
上記実施形態では、新設枠１８の上枠１８ａ及び縦枠１８ｃ，１８ｄの室外側見付け面３６を新設外壁材３４の室内側表面３４ｂに対向配置した構成を例示したが、下枠１８ｂも同様な構成としてもよい。すなわち、例えば改装建具１０が窓である場合、下枠１８ｂの周囲にも新設外壁材３４が設置されるため、下枠１８ｂについても上枠１８ａ等と同様な構成にするとよい。
【００３５】
上記実施形態では、断熱材２４ｃで室外側部位２４ａと室内側部位２４ｂとを連結した断熱構造の新設枠１８を例示したが、新設枠１８は断熱材２４ｃを用いていない構成でもよい。
【符号の説明】
【００３６】
１０  改装建具、１２  建物、１４  躯体、１４ａ  開口部、１４ｂ  室外側表面、１６  既設枠、１６ａ，１８ａ  上枠、１６ｂ，１８ｂ  下枠、１６ｃ，１６ｄ，１８ｃ，１８ｄ  縦枠、１８  新設枠、２０  新設ドア、２４ａ  室外側部位、２４ｂ  室内側部位、２４ｃ  断熱材、２５  枠内側見込み面、３０  既設外壁材、３０ａ  外壁面、３０ｂ，３２ａ，３４ａ  端面、３２  胴縁、３４  新設外壁材、３４ｂ  室内側表面、３４ｃ  室外側表面、３６  室外側見付け面、３８，５０  見切り材、３８ａ，５０ａ  取付部、３８ｂ，５０ｂ  カバー部、５２  枠外側見込み面
【図１】
2019196667.tif 000003
【図２】
2019196667.tif 000004
【図３】
2019196667.tif 000005